(57)【要約】【課題】  従来の無線中継装置では、あらかじめ指定した領域識別情報の信号のみを中継するため、装置設置後に基地局の配置の変更や追加、あるいは領域識別符号の拡張などがあった場合に対応できない。【解決手段】基地局個別に管理される基地局識別符号と、装置の物理的移動を検知するセンサーを用いて、中継装置の設置箇所の移動を判定する。【選択図】  図２
2014072594.tif 000002
【特許請求の範囲】
【請求項１】
外部から無線信号を受信し、前記無線信号に含まれる基地局識別情報を読取る受信部と、
前記無線信号に含まれる基地局識別情報と予め記録している基地局情報とを照合し、一致の場合に無線通信の中継動作を制御し、中継装置の設置場所の移動の有無を予め格納する条件に応じて判断し、前記移動ありと判断する場合に前期無線通信の中継動作を停止する制御部とを有する無線中継装置。
【請求項２】
前記制御部は、前記センサ部による物理的移動の検出、もしくは電源部による電源オフの検出があるときに、前記移動を検出することを特徴とする請求項１に記載の無線中継装置。
【請求項３】
前記制御部は、前記受信部が新たな無線信号を受信するときに、前回に受信した前記無線信号に含まれる基地局識別情報と前記予め記録している基地局情報と、前記新たな無線信号に含まれる基地局識別情報とを照合することを特徴とする請求項１に記載の無線中継装置。
【請求項４】
前記基地局識別情報は、前記無線信号から読み取られるBTS IDとPNコードであることを特徴とする請求項１に記載の無線中継装置。
【発明の詳細な説明】
【技術分野】
【０００１】
本発明は、無線事業者が遠隔通信監視を行わない無線中継装置に関わる。
【背景技術】
【０００２】
従来の自立型の無線中継装置では、あらかじめ無線中継装置が中継するべき元となる電波信号に付与されている領域識別情報が設定される。中継装置が周辺無線基地局からの電波を受信した時、中継装置はこの電波信号を解読し信号に含まれる領域識別情報を、あらかじめ設定されている領域識別情報と照合する。中継装置はこの領域識別情報が一致した場合のみその電波信号の中継を行う。領域識別情報が一致しない場合は、無線中継装置は受信している電波信号を中継対象とせず、電波発射は行わない。これは無線中継装置が意図しない電波信号を発射してしまうことで無線事業者の提供するサービスエリアの品質を損なうことを防ぐことと、事業者が指定しない一般ユーザが中継装置の設置場所を移動してしまうことで電波法を侵害してしまうことを防ぐ目的である。無線中継の制御については例えば特許文献１、特許文献２の技術が存在する。
【先行技術文献】
【特許文献】
【０００３】
【特許文献１】特開2008-301086号公報
【特許文献２】特開2008-160346号公報
【発明の概要】
【発明が解決しようとする課題】
【０００４】
従来の自立型の無線中継装置では、あらかじめ中継装置に設定した領域識別情報を含む電波信号のみを中継するという方式を採っている。このため装置設置後に中継対象とする周辺基地局の配置の変更や追加、あるいは領域識別符号の拡張などがあった場合に自動的にそれらの変化を検出して適切な動作に切替えることができない。また、領域識別符号が異なる無線エリアのエリア境界付近においては複数基地局からの電波信号を受信するため、異なる領域識別符号を複数検出することになるが、天候やユーザのサービス利用負荷量による電波環境の変動によっては中継装置が受信する電波に強弱が発生し、中継機能が不要にオン・オフを繰り返してしまい、中継装置による無線エリア形成が不安定になるということが想定される。
【０００５】
また、これを回避するため仮に広いエリアで共通の領域識別管理符号を共有してしまうと、同じ領域識別符号を含む電波が到達するエリア内で中継装置を移動しても、検出する領域識別符号に変化が無いため、一般ユーザが任意に中継装置の設置位置を変更することが制限できず、無線事業者が管理構築する無線サービスエリアの形成に支障を来してしまう。
【０００６】
上記のような一意に特定の領域識別符号だけによってのみ中継機能をオン・オフすること、また一般ユーザが任意に設置個所を移動する、もしくは引っ越しなどにより別の場所で無断で中継装置を動作させることの制限が課題となる。
【課題を解決するための手段】
【０００７】
本発明による無線中継装置は、一例として、外部から無線信号を受信し、前記無線信号に含まれる基地局識別情報を読取る受信部と、前記無線信号に含まれる基地局識別情報と予め記録している基地局情報とを照合し、一致の場合に無線通信の中継動作を制御し、中継装置の設置場所の移動の有無を予め格納する条件に応じて判断し、前記移動ありと判断する場合に前期無線通信の中継動作を停止する制御部とを有する。  
【発明の効果】
【０００８】
一般ユーザによる無線中継装置の設置位置移動の抑止が可能となる。結果として、通信事業者は無線中継装置が意図せず移動されて移動先にて不適当な電波中継が発生することを回避できる。
【０００９】
また、移動ありの判断がされない場合には、周辺無線環境の変化に関わらず中継動作が継続されるため、周辺電波環境の変動による中継機能のオフ・オン動作は発生せず無線サービスエリア内に対して安定的な電波提供が可能となる。
【図面の簡単な説明】
【００１０】
【図１】今回発明の無線中継装置の主要ブロック図である。
【図２】動作フローの例である
【図３】今回発明の無線中継装置のセンサー感知例である。
【図４】照合動作時の判定例１である。
【発明を実施するための形態】
【００１１】
以下、実施例を図面を用いて説明する。
【実施例】
【００１２】
図１は本実施例における無線中継装置の主要ブロック図を示す。周辺基地局から中継すべき無線信号を受信しその受信した無線信号に基づいて信号レベルや基地局識別符号といった情報を取得する無線受信部（101）、受信した無線信号を送波するための無線送信部（102）、中継対象とする無線信号に含まれる基地局識別符号や周期監視で取得した他の周辺基地局情報や無線中継装置を制御するためのプログラムを格納するためのデータ格納部（103）、無線中継装置を構成する各ブロックの制御を行う制御部（109）、監視周期やセンサー動作時間や電源オフ時間を管理するためのタイマ部（105）、無線中継装置が物理的に移動されたことを検出するためのセンサー部（104）、装置に電源を供給するための電源部（107）、ユーザに装置状態を通知するためのアラーム表示部（108）、保存したデータをバックアップするためと電源オフ中のセンサー動作を検出するための電源を供給するためのバッテリー部（10６）で構成される。
【００１３】
図２は本実施例における無線中継装置の動作フローを示した図である。まず、無線中継装置にはあらかじめ中継すべき対象電波の設定を登録する（201）。設定とは中継装置が受信する周辺基地局からの無線信号から得られる基地局識別情報であり、本実施例では基地局のユニークID(BTS ID)とPN(Pseudo Noise)コードを利用する。中継装置の制御部は設置され電源投入された時に周辺基地局から受信している無線信号を検出する。またその無線信号を分析し、周波数と受信レベルを測定する一方で基地局識別情報であるBTS IDおよびPNコードを読み取り（202）、予め中継装置内に登録された情報と一致するかどうかを照合する（203）。
【００１４】
この照合結果が一致した場合、中継装置は対象の無線電波の中継を開始するが、一致しない場合は中継動作を行わない（204）。尚、この時点で照合対象とするのは中継対象とする電波が受信できているか否かであり、中継対象以外の電波を受信している場合でも中継動作の停止は行わない。ただし、中継対象電波を含む中継装置が受信している全ての受信電波は検出結果として装置内部に保存してもよい。
【００１５】
中継電波発射後は中継装置は定期的に自装置が受信している周辺基地局からの無線電波を監視する（205）。この監視周期はプログラマブルとし、中継装置個々に事業者もしくは事業者指定の設置業者が設定の変更することを可能とする。尚、監視対象は中継装置が受信している基地局電波の周波数、BTS ID、PNコードおよび受信レベルとする。
【００１６】
周期的な周辺基地局電波の監視結果は、その都度前回の監視結果および設置時に検出した周辺基地局情報と比較照合される（206）。ここでの照合結果は無許可での中継装置の移動を制限するものではなく、中継装置周辺の基地局情報が変更された際に不要な中継動作を回避することと、本発明が解決する課題の１つである、周辺電波環境の一時的な変化に伴う中継器の誤動作を防ぐために使用する。
【００１７】
従って、１回の周期監視結果を以って中継動作の継続または停止をするのではなく、数回分の周期監視結果の継続性（一致性）の有無を判断の上で設置時の周辺基地局情報との差分を比較することも可能とする。この継続回数に対する設定はプログラマブルとし、監視周期同様に中継装置個々に無線事業者もしくは無線事業者指定の設置業者が変更可能とする。
【００１８】
周期的な周辺基地局電波の監視結果と、前回の監視結果および設置時に検出した周辺基地局情報との照合の結果に相違がない場合には、中継動作を継続する（207）。続いて、中継装置が設置後にセンサ部104での移動検出、もしくは電源部107での電源オフ検出の有無を検出する（207）。移動か電源オフを検出した場合は、次回電源オンした時に受信している電波信号から再度周辺基地局情報の検出を行い、検出結果は中継装置の初期設置時の検出結果および、電源オフ前の周期監視結果と比較照合する（208）。ここでの照合結果は無許可での中継装置の移動を制限する目的であり、通常稼働中に周期監視している時の比較照合基準とは別の基準を設ける。例を図６に設置後に電源オフ発生が有る場合を示す。ここでは、データ照合の結果、検出した周波数そのものに変化は無いが、レベルが最も高く検出された周波数と２番目の周波数が入れ換わっている。電源オフ（またはセンサー部の結果に基づく場合はセンサーオフ）条件と検出結果の差分比較により中継装置の設置場所が移動されたと判定し、電波発射を停止する。このように、初期設置の時に検出した周辺基地局情報との差分に対する許容範囲を設けた上で、差分が許容範囲として設定した条件を越える場合に中継装置の設置場所が移動されたと判定し、電源オン後の中継動作を停止する（209）。許容範囲および条件に対する設定はプログラマブルとし、中継装置個々に無線事業者もしくは無線事業者指定の設置業者が変更可能とする。中継装置の動作を再開するためにはユーザはアラームを確認して無線中継装置を管理する通信事業者にメンテナンスを依頼する。
【００１９】
また、電源オフ検出と同様に中継装置に備えたセンサーの状態変化もまた中継装置が移動されたかどうかを判定するための条件として使用する。中継装置設置後にセンサーがオフになったことを中継装置が検出した場合は、電源オフ検出時と同様に次回センサーがオンになったことを契機に再度周辺基地局情報の検出を行う。比較差分の照合判定は電源オフ検出後の電源オンの時と同様の基準を適用し、差分が許容範囲として設定した条件を越えた場合中継装置の設置場所が移動されたと判定し、センサーオン後の中継動作を停止する（209）。
【００２０】
図３に本実施例における無線中継装置のセンサーの動作例を示す。センサーは中継装置の設置形態により位置を決定する必要があるが、中継装置を固定した際に外部から不可視であり容易に触手できない位置に設ける。図３では例として中継装置の底面にセンサーを設けている。図３(a)において、設置前ではセンサーがオフ状態になっているのに対して（301）、装置を固定した時にセンサーが中継装置の内部へ入り込むように形状変化もしくは位置変化してこの結果としてオンの状態へ移行する動作を示している（302）。図３(ｂ)においては、設置後に装置が取り外されて設置面と装置の間に距離が生じた場合はセンサーが再び形状変化もしくは位置変化してオフ状態に移行する（303）。また、装置の設置面である底面にセンサーを設けることにより、設置後は外部からセンサー部に対して操作することができない構造としている。
【００２１】
センサーの状態変化は検出した時刻と共に中継装置のデータ格納部へ保管される。また、このセンサーがオフ状態の時には無条件に中継装置は電波発射を停止する。センサーがオフの状態からオンの状態へ移行した場合には中継装置は周辺基地局から受信する電波を分析し受信電波の基地局識別情報を取得する。
【００２２】
上記方式により無線中継装置が設置された後、周辺の電波環境の一時的な変化により不要に中継動作の停止と再開を繰り返すような事象を回避することが可能となり、かつ中継装置設置後にユーザ他により無断で中継装置が別の場所で使用されることを制限可能となる。
【図１】
2014072594.tif 000003
【図２】
2014072594.tif 000004
【図３】
2014072594.tif 000005
【図４】
2014072594.tif 000006